(57)【要約】【課題】  インクカートリッジに外気を供給する迷路状の連通路を有するインクジェット記録装置を提供すること。【解決手段】  インクカートリッジは、インクジェット記録装置の装着部３に着脱可能に装着され、インクカートリッジの外気導入口、インク供給口は、装着部３の外気供給口９１、インク抽出管１２にそれぞれ接続される。装着部３のベース部３ａの下側には、複数回屈曲した溝状の外気供給流路９２が形成され、その一端は外気供給口９１に接続され、他端はベース部３ａの上面に開口した外気取入口９３に接続されている。外気供給流路９２の開放面は、樹脂製フィルム９５により覆われている。このため、インクカートリッジ内と外気取入口９３との間の外気の流れが抑制され、インクの蒸発が防止される。  【選択図】        図５
2005246780.tif 000002
【特許請求の範囲】
【請求項１】
インクを吐出して記録を行う記録ヘッドと、
インクを貯留するインク室、そのインクを前記記録ヘッドへ供給するインク供給口、及び前記インク室へ外気を導入する外気導入口を有するインクカートリッジと、
そのインクカートリッジを着脱可能に装着でき、そのインクカートリッジから抽出したインクを前記記録ヘッドへ供給する抽出部、及びそのインクカートリッジ内に外気を供給する外気供給部を有する装着部とを備え、
前記外気供給部は、前記装着部に装着された前記インクカートリッジの外気導入口に対応して設けられた外気供給口と、外気を取り入れるための外気取入口と、前記外気供給口と前記外気取入口との間に折り返して屈曲する複数の屈曲部を有する供給流路とを備えていることを特徴とするインクジェット記録装置。
【請求項２】
前記外気供給部の供給流路は、前記装着部を構成する壁の一方の面に沿って屈曲した溝によって構成され、
その溝の開放面を覆って前記壁に蓋部材が固着されていることを特徴とする請求項１に記載のインクジェット記録装置。
【請求項３】
前記装着部は、前記壁の他方の面に前記インクカートリッジを装着でき、
前記外気供給口は、前記溝の一端に連通して前記壁を貫通して形成されていることを特徴とする請求項２に記載のインクジェット記録装置。
【請求項４】
前記外気取入口は、前記溝の他端に連通して前記壁を貫通して形成されていることを特徴とする請求項２または３に記載のインクジェット記録装置。
【請求項５】
前記外気供給口は、前記壁の他方の面上に開口し、
前記インクカートリッジが前記装着部に装着されたとき、前記装着部と前記インクカートリッジとの間に、前記インクカートリッジの外気導入口と前記外気供給口とを外部に対してシールして連通状態にするシール部材が設けられていることを特徴とする請求項３に記載のインクジェット記録装置。
【請求項６】
前記インクカートリッジは、常態では前記外気導入口を外気に対して閉鎖し、そのインクカートリッジを前記装着部に装着することにともない前記外気導入口を前記外気供給口と連通させる封止手段を備えることを特徴とする請求項５に記載のインクジェット記録装置。
【請求項７】
前記封止手段は、弁部材とその弁部材が当接する弾性材料製の弁座部とを備え、    
前記シール部材は、前記弁座部に連接して設けられていることを特徴とする請求項６に記載のインクジェット記録装置。
【請求項８】
前記外気供給口は、前記壁の他方の面上に突出した中空筒体の内部を貫通して形成され、その中空筒体は、前記インクカートリッジを前記装着部に装着することにともない前記外気導入口に挿入されるように構成され、
前記シール部材は、前記中空筒体の外周と前記外気導入口との間に介装されることを特徴とする請求項５に記載のインクジェット記録装置。
【請求項９】
前記インクカートリッジは、常態では前記インク供給口を閉鎖し、そのインクカートリッジを前記装着部に装着することにともない前記インク供給口を前記抽出部材と連通するように開放する第２の弁部材を備えることを特徴とする請求項１から８のいずれかに記載のインクジェット記録装置。
【請求項１０】
前記装着部は、複数の前記インクカートリッジをそれぞれ着脱可能に装着できる装着箇所を前記壁の他方の面に複数個並べて一体に有し、
前記外気供給部の供給流路を構成する溝は、前記各装着箇所に対応した位置の前記壁の一方の面にそれぞれ形成され、その各溝の開放面を、前記各装着箇所に対応した位置にわたって延びる前記蓋部材により覆ったことを特徴とする請求項３に記載のインクジェット記録装置。
【請求項１１】
前記抽出部は、前記壁の他方の面に前記装着箇所ごとに設けられ、
前記壁の一方の面に、一端を前記各抽出部と連通し他端を複数の前記記録ヘッドに接続する複数のインク供給溝が形成され、
前記蓋部材は、前記外気供給部の供給流路を構成する複数の溝と、前記複数のインク供給溝との各開放面を覆って前記壁に固着されていることを特徴とする請求項１０に記載のインクジェット記録装置。
【請求項１２】
前記装着部は、インクジェット記録装置本体の静止位置に設けられ、前記抽出部と前記記録ヘッドとをインク供給チューブで接続したことを特徴とする請求項１から１１のいずれかに記載のインクジェット記録装置。  
【発明の詳細な説明】
【技術分野】
【０００１】
本発明は、インクジェット記録装置に関し、特に、インクカートリッジがインクジェット記録装置に装着されているとき、インクカートリッジに大気を供給する流路を有するインクジェット記録装置に関するものである。
【背景技術】
【０００２】
特開平９−２０７３４７号公報（特許文献１）に開示されているように、インクカートリッジに、大気連通孔に連通させる迷路状の連通路を形成したものがある。これは、インクカートリッジに自由に大気が出入りすると、インクが蒸発したりインク内の水分が蒸発するのを防止するために、大気連通孔を通じての空気の移動を制限するものである。
【０００３】
また、特開平９−８５９６３号公報（特許文献２）には、インク容器（以下インクカートリッジという）をホルダ（装着部）に着脱できるように構成されたインクジェット記録装置が開示されている。上記ホルダには、インク親和性を有する多孔質材が収容された大気連通路、記録ヘッドへのインク供給路が形成され、インクカートリッジの開口部がその両路に接続されるように構成されている。
【特許文献１】特開平９−２０７３４７号公報
【特許文献２】特開平９−８５９６３号公報
【発明の開示】
【発明が解決しようとする課題】
【０００４】
しかしながら、特許文献１のように、インクカートリッジ内に十分な長さの迷路状の連通路を設けると、インクカートリッジの容積が大きくなってしまい、逆にインクカートリッジの容積を小さくしようとすれば、迷路状の連通路を十分な長さや形状のものに形成することができないという問題点があった。
【０００５】
また、特許文献２のように、インクカートリッジを装着した際に大気連通路内の多孔質材にインクを含浸させ、インクと多孔質材とでインクカートリッジ内を負圧にするものでは、大気連通路内でのインクの乾燥や多孔質材の圧縮のばらつきによって、インクカートリッジ内の負圧が不安定になるという問題点があった。
【０００６】
本発明は、上述した問題点を解決するためになされたものであり、インクカートリッジに外気を供給する迷路状の連通路を有するインクジェット記録装置を提供することを目的としている。
【課題を解決するための手段】
【０００７】
この目的を達成するために請求項１に記載のインクジェット記録装置は、インクカートリッジは、インクを吐出して記録を行う記録ヘッドと、インクを貯留するインク室、そのインクを前記記録ヘッドへ供給するインク供給口、及び前記インク室へ外気を導入する外気導入口を有するインクカートリッジと、そのインクカートリッジを着脱可能に装着でき、そのインクカートリッジから抽出したインクを前記記録ヘッドへ供給する抽出部、及びそのインクカートリッジ内に外気を供給する外気供給部を有する装着部とを備え、前記外気供給部は、前記装着部に装着された前記インクカートリッジの外気導入口に対応して設けられた外気供給口と、外気を取り入れるための外気取入口と、前記外気供給口と前記外気取入口との間に折り返して屈曲する複数の屈曲部を有する供給流路とを備えている。
【０００８】
請求項２に記載のインクジェット記録装置は、請求項１に記載のインクジェット記録装置において、前記外気供給部の供給流路は、前記装着部を構成する壁の一方の面に沿って屈曲した溝によって構成され、その溝の開放面を覆って前記壁に蓋部材が固着されている
。
【０００９】
請求項３に記載のインクジェット記録装置は、請求項２に記載のインクジェット記録装置において、前記装着部は、前記壁の他方の面に前記インクカートリッジを装着でき、前記外気供給口は、前記溝の一端に連通して前記壁を貫通して形成されている。
【００１０】
請求項４に記載のインクジェット記録装置は、請求項２または３に記載のインクジェット記録装置において、前記外気取入口は、前記溝の他端に連通して前記壁を貫通して形成されている。
【００１１】
請求項５に記載のインクジェット記録装置は、請求項３に記載のインクジェット記録装置において、前記外気供給口は、前記壁の他方の面上に開口し、前記インクカートリッジが前記装着部に装着されたとき、前記装着部と前記インクカートリッジとの間に、前記インクカートリッジの外気導入口と前記外気供給口とを外部に対してシールして連通状態にするシール部材が設けられている。
【００１２】
請求項６に記載のインクジェット記録装置は、請求項５に記載のインクジェット記録装置において、前記インクカートリッジは、常態では前記外気導入口を外気に対して閉鎖し、そのインクカートリッジを前記装着部に装着することにともない前記外気導入口を前記外気供給口と連通させる封止手段を備えている。
【００１３】
請求項７に記載のインクジェット記録装置は、請求項６に記載のインクジェット記録装置において、前記封止手段は、弁部材とその弁部材が当接する弾性材料製の弁座部とを備え、前記シール部材は、前記弁座部に連接して設けられている。
【００１４】
請求項８に記載のインクジェット記録装置は、請求項５に記載のインクジェット記録装置において、前記外気供給口は、前記壁の他方の面上に突出した中空筒体の内部を貫通して形成され、その中空筒体は、前記インクカートリッジを前記装着部に装着することにともない前記外気導入口に挿入されるように構成され、前記シール部材は、前記中空筒体の外周と前記外気導入口との間に介装される。
【００１５】
請求項９に記載のインクジェット記録装置は、請求項１から８のいずれかに記載のインクジェット記録装置において、前記インクカートリッジは、常態では前記インク供給口を閉鎖し、そのインクカートリッジを前記装着部に装着することにともない前記インク供給口を前記抽出部材と連通するように開放する第２の弁部材を備えている。
【００１６】
請求項１０に記載のインクジェット記録装置は、請求項３に記載のインクジェット記録装置において、前記装着部は、複数の前記インクカートリッジをそれぞれ着脱可能に装着できる装着箇所を前記壁の他方の面に複数個並べて一体に有し、前記外気供給部の供給流路を構成する溝は、前記各装着箇所に対応した位置の前記壁の一方の面にそれぞれ形成され、その各溝の開放面を、前記各装着箇所に対応した位置にわたって延びる前記蓋部材により覆っている。
【００１７】
請求項１１に記載のインクジェット記録装置は、請求項１０に記載のインクジェット記録装置において、前記抽出部は、前記壁の他方の面に前記装着箇所ごとに設けられ、前記壁の一方の面に、一端を前記各抽出部と連通し他端を複数の前記記録ヘッドに接続する複数のインク供給溝が形成され、前記蓋部材は、前記外気供給部の供給流路を構成する複数の溝と、前記複数のインク供給溝との各開放面を覆って前記壁に固着されている。
【００１８】
請求項１２に記載のインクジェット記録装置は、請求項１から１１のいずれかに記載のインクジェット記録装置において、前記装着部は、インクジェット記録装置本体の静止位置に設けられ、前記抽出部と前記記録ヘッドとをインク供給チューブで接続している。
【発明の効果】
【００１９】
請求項１に記載のインクジェット記録装置によれば、外気供給部は、装着部に装着されたインクカートリッジの外気導入口に対応して設けられた外気供給口と、外気を取り入れるための外気取入口との間に折り返して屈曲する複数の屈曲部を有する供給流路とを備えているので、インクカートリッジに折り返して屈曲する複数の屈曲部を有する流路を形成するのに比べ、長さや形状を任意に設計することができるとともに、消耗品であるインクカートリッジのコストを下げ、低い価格で提供することができるという効果がある。
【００２０】
また、装着部に装着されたインクカートリッジの外気導入口からのインクの蒸発を、供給流路の複数の屈曲部によって抑えながら、安定した外気の供給を行うことができる。
【００２１】
請求項２に記載のインクジェット記録装置によれば、請求項１に記載のインクジェット記録装置の奏する効果に加え、外気供給部の供給流路は、装着部を構成する壁の一方の面に沿って屈曲した溝によって構成され、その溝の開放面を覆って前記壁に蓋部材が固着されているので、簡単な構成で複数の屈曲部を有する流路を形成することができるという効果がある。
【００２２】
請求項３に記載のインクジェット記録装置によれば、請求項２に記載のインクジェット記録装置の奏する効果に加え、装着部は、壁の他方の面にインクカートリッジを装着でき、外気供給口は、溝の一端に連通して壁を貫通して形成されているので構造が簡単であり製作が容易であるという効果がある。
【００２３】
請求項４に記載のインクジェット記録装置によれば、請求項２または３に記載のインクジェット記録装置の奏する効果に加え、外気取入口は、溝の他端に連通して壁を貫通して形成されているので構造が簡単であり製作が容易であるという効果がある。
【００２４】
請求項５に記載のインクジェット記録装置によれば、請求項３に記載のインクジェット記録装置の奏する効果に加え、外気供給口は、壁の他方の面上に開口し、インクカートリッジが装着部に装着されたとき、装着部とインクカートリッジとの間に、インクカートリッジの外気導入口と外気供給口とを外部に対してシールして連通状態にするシール部材が設けられているので、インクカートリッジ内が供給流路の屈曲部を介してのみ外気と連通し、インクの蒸発を確実に抑えることができるという効果がある。
【００２５】
請求項６に記載のインクジェット記録装置によれば、請求項５に記載のインクジェット記録装置の奏する効果に加え、インクカートリッジは、常態では外気導入口を外気に対して閉鎖し、そのインクカートリッジを装着部に装着することにともない外気導入口を前記外気供給口と連通させる封止手段を備えているのでインクカートリッジを装着部から外した状態では、インクカートリッジが封止されてインクの蒸発が抑えられ、装着することにより外気を導入することができるという効果がある。
【００２６】
請求項７に記載のインクジェット記録装置によれば、請求項６に記載のインクジェット記録装置の奏する効果に加え、封止手段は、弁部材とその弁部材が当接する弾性材料製の弁座部とを備え、シール部材は弁座部に連接して設けられているので簡単な構造で弁座部とシール部材を形成することができるという効果がある。
【００２７】
請求項８に記載のインクジェット記録装置によれば、請求項５に記載のインクジェット記録装置の奏する効果に加え、外気供給口は、壁の他方の面上に突出した中空筒体の内部を貫通して形成され、その中空筒体は、インクカートリッジを装着部に装着することにともない外気導入口に挿入されるように構成され、シール部材は、中空筒体の外周と外気導入口との間に介装されるので、インクカートリッジと供給流路の屈曲部との連通を確実にし、インクの蒸発を確実に抑えることができるという効果がある。
【００２８】
請求項９に記載のインクジェット記録装置によれば、請求項１から８のいずれかに記載のインクジェット記録装置の奏する効果に加え、インクカートリッジは、常態ではインク供給口を閉鎖し、そのインクカートリッジを装着部に装着することにともないインク供給口を抽出部材と連通するように開放する第２の弁部材を備えているので、インクカートリッジを装着するだけで、インク供給口と抽出部材を連通することができるという効果がある。
【００２９】
請求項１０に記載のインクジェット記録装置によれば、請求項３に記載のインクジェット記録装置の奏する効果に加え、装着部は、複数のインクカートリッジをそれぞれ着脱可能に装着できる装着箇所を壁の他方の面に複数個並べて一体に有し、外気供給部の供給流路を構成する溝は、各装着箇所に対応した位置の壁の一方の面にそれぞれ形成され、その各溝の開放面を、各装着箇所に対応した位置にわたって延びる蓋部材により覆っているので、複数のインクカートリッジに対して一つの蓋部材で供給流路を形成でき、構造が簡単で部品点数が少なく、製作が容易であるという効果がある。
【００３０】
請求項１１に記載のインクジェット記録装置によれば、請求項１０に記載のインクジェット記録装置の奏する効果に加え、抽出部は、壁の他方の面と装着箇所ごとに設けられ、壁の一方の面に、一端を各抽出部と連通し他端を複数の記録ヘッドに接続する複数のインク供給溝が形成され、蓋部材は、外気供給部の供給流路を構成する複数の溝と、複数のインク供給溝との各開放面を覆って壁に固着されているので複数のインクカートリッジに対して一つの蓋部材で外気の供給溝とインクの供給溝を覆うことができ、構造が簡単で部品点数が少なく、製作が容易であるという効果がある。
【００３１】
請求項１２に記載のインクジェット記録装置によれば、請求項１から１１のいずれかに記載のインクジェット記録装置の奏する効果に加え、装着部は、インクジェット記録装置本体の静止位置に設けられ、抽出部と記録ヘッドとをインク供給チューブで接続しているので、インクカートリッジは、大容量のインクを収容する構成としても、そのインクを使用する全期間に渡って良好にインクの蒸発を抑え、安定して外気を導入して記録ヘッドへのインクの供給状態を良好に維持できるという効果がある。
【発明を実施するための最良の形態】
【００３２】
以下、本発明の好ましい実施例について、添付図面を参照して説明する。図１は、本発明の実施例におけるインクカートリッジ１を装着するインクジェット記録装置２を示した概略図である。
【００３３】
インクカートリッジ１は、インクを吐出する記録ヘッド７を備えたインクジェット記録装置２に着脱可能に構成され、記録ヘッド７に供給するインクを貯留するためのものである。
【００３４】
インクカートリッジ１は、上面を開放した中空箱状の本体ケース１ａと、その本体ケース１ａの開放上面を密閉する蓋１ｂとを備え、記録ヘッド７に供給するインクは本体ケース１ａの内部に形成されるインク室１６（図２参照）に貯留されている。尚、インクジェット記録装置２には、シアン、マゼンタ、イエロー、ブラックの４色のカラーインクがそれぞれ充填された複数個のインクカートリッジが装着される。
【００３５】
インクジェット記録装置２は、インクカートリッジ１を着脱可能に装着する装着部３と、インクカートリッジ１からインク供給チューブ４を介して供給されるインクを貯留するタンク５と、そのタンク５に貯留されたインクを記録用紙６に向けて吐出する記録ヘッド７と、タンク５と記録ヘッド７とが搭載され水平方向に往復動作するキャリッジ８と、そのキャリッジ８が往復移動するガイドとなるキャリッジ軸９と、記録用紙６を搬送する搬送機構１０と、パージ装置１１とを備えている。
【００３６】
装着部３は、ベース部３ａと、そのベース部３ａの両側から立設するガイド部３ｂとから成り、ガイド部３ｂに挟まれたベース部３ａには、インクカートリッジ１内に貯留されたインクを抽出する中空状の突出したインク抽出管１２と、インクカートリッジ１内に外気を供給する外気供給口９１とが配設されている。
【００３７】
このインク抽出管１２の一端側は、インク流路９４と連通され、さらにインク供給チューブ４を介してタンク５と連通されている。外気供給口９１には、外気供給流路９２および外気取入口９３が連通されている。（図５参照）
インクカートリッジ１は装着部３に対して垂直方向（矢印Ｘ方向）から装着される。この際、インク抽出管１２は、インクカートリッジ１の内部に備えられた後述する弁装置２３を開放し、インク室１６の内部と連通する。一方、外気供給口９１は、インク室１６の内部と連通する。
【００３８】
記録ヘッド７には、記録用紙６と対向する面に複数のノズル孔が備えられ、圧電素子からなるアクチュエータを駆動することによって、ノズル孔からタンク５に貯留されたインクが記録用紙６に向けて吐出される。尚、実際に記録動作をする場合には、記録ヘッド７を搭載したキャリッジ８が往復移動しながら、記録用紙６に記録が行われる。
【００３９】
また、記録ヘッド７は、装着部３よりも上方に配置されており、ノズル孔内のインクは、装着部３に装着されたインクカートリッジ１とノズル孔との水頭差により負の圧力（背圧）が与えられている。
【００４０】
パージ装置１１は、記録範囲外であって記録ヘッド７に対向するように配置されており、記録ヘッド７のノズル孔形成面を覆うパージキャップ１１ａと、パージキャップ１１ａと連通する廃インクチューブ１１ｂと、廃インクチューブ１１ｂを介してノズル孔からインクを吸引するポンプ１１ｃとを備えている。
【００４１】
パージ処理を実行する場合には、キャリッジ８をパージ処理実行位置に移動させ、記録ヘッド７のノズル孔形成面をパージキャップ１１ａで覆う。この状態でポンプ１１ｃを駆動して、記録ヘッド７の内部に溜まる気泡などを含んだ不良インクを吸引する。吸引された不良インクは、廃インクチューブ１１ｂを介して図示しない廃インクタンクに貯められる。なお、記録動作やパージ処理は、インクジェット記録装置２に搭載された中央演算装置であるＣＰＵ（図示せず）の下で制御される。
【００４２】
次に、図２を参照して、インクカートリッジ１のインクジェット記録装置２へ装着されるジョイント部分（図１のＡ部分）の構成について説明する。図２（ａ）は、インクジェット記録装置２に装着する前の状態を、（ｂ）は装着した後の状態を示すジョイント部分の断面図である。
【００４３】
インクカートリッジ１は、インク室１６を内部に形成し上面が開放された本体ケース１ａと、その本体ケース１ａの開放された上面を覆う蓋部材１ｂと、本体ケース１ａの底壁１ｅを覆うキャップ部材１ｆとで構成されている。このキャップ部材１ｆには、後述する弁装置２３、２４を装着部３側に露出する２つの露出孔１ｆａ、１ｆｂが形成されている。インクカートリッジ１は、蓋部材１ｂ及びキャップ部材１ｆがそれぞれ本体ケース１ａと溶着されて形成される。なお、本体ケース１ａ、蓋部材１ｂおよびキャップ部材１ｆの材質は、樹脂材料によって構成されているものとする。
【００４４】
底壁１ｅには、インク室１６内のインクを外部に供給するために外部に開口したインク供給口２１が形成されている。このインク供給口２１は、底壁１ｅの下面から一体に突出形成された筒状壁２１ａの内側の連通室３０と接続されている。また、底壁１ｅには、インク室１６内に外気を導入するために外部に開口した外気導入口２６が形成されている。この外気導入口２６は、底壁１ｅの下面から一体に突出形成された筒状壁２６ａの内側の連通室５０と接続されている。インクカートリッジ１を装着部３に装着したときには、連通室３０にインク抽出管１２が挿入される。
【００４５】
インク供給口２１には、逆止弁６０が対向配置されている。逆止弁６０は、インク供給口２１の下面に対向する傘状の弾性膜部６０ｂと、その膜部６０ｂを一端に支持する軸部６０ｃとを合成樹脂材料にて一体成形して構成されている。軸部６０ｃは底壁１ｅの貫通孔に上下摺動可能に挿通され、常態では、膜部６０ｂがインク供給口２１と間隔を置いた位置で、膨出部６０ａを底壁１ｅの上面に当接させ、インク室１６から弁装置２３へ向かうインクの流れを可能にしている。インク抽出管１２側からインク室１６へ向かう流れが生じたとき、膜部６０ｂが上昇してインク供給口２１を塞ぎ、その流れを阻止する。
【００４６】
底壁１ｅには、外気導入口２６を囲む筒部材２５がインク室１６内に突出して設けられ、外部から供給された外気を筒部材２５の内側流路を経てインク室１６の上部に導くようにしている。外気導入口２６上部の開口は、インクの液面より上に位置している。
【００４７】
インク供給側の連通室３０及び外気導入側の連通室５０にはそれぞれ封止手段としての弁装置２３、２４が固着されている。
【００４８】
弁装置２３は、ゴム状の弾性部材で一体に製作された支持部材４６と、樹脂材料で構成された弁部材３２とを備えている。支持部材４６は、ほぼ円筒形の外形をなし、その軸線方向の中間部に弁座部４６ａ、その弁座部４６ａよりもインク室１６側に付勢部４６ｂ、付勢部４６ｂとは反対側に外周壁３３とを一体に成形して構成される。弁部材３２は、付勢部４６ｂによって弁座部４６ａに当接する方向に付勢されてその付勢部４６ｂ内に収容されている。
【００４９】
外周壁３３は、半径方向外方に突起した取付部３３ａを有し、連通室３０は、取付部３３ａを収納するために外側へ径が大きくなる段状面４４を有している。取付部３３ａの段状面４４と対向する面には突起４３が形成され、この突起４３を段状面４４に押圧して変形させながら取付部３３ａを段状面４４とキャップ部材１ｆとの間に挟んでキャップ部材１ｆを本体ケース１ａに固着する。これにより、弁装置２３の外周壁３３と連通室３０の内壁との間に形成される空間からインクが流出することを防止している。
【００５０】
弁座部４６ａにはその中央に前記軸線方向に貫通した開口部４１が形成され、さらに外周壁３３にはインク抽出管１２が挿入される誘導路４０が、その誘導路４０と連通した状態で形成されている。
【００５１】
誘導路４０は、挿入されたインク抽出管１２と密着するようにその内径をインク抽出管１２の外径よりも小さく形成され、開口部４１は、誘導路４０の内径よりも大きくかつインク抽出管１２の外径よりも大きく形成されている。誘導路４０のインク抽出管１２の挿入側端部は、外方に向け拡大するテーパ形に形成されている。
【００５２】
付勢部４６ｂは、弁座部４６ａの外周からインク室１６側に円筒状に立ち上がった側壁部３６と、その側壁部３６と連接し弁部材３２のインク室１６側に当接するように内側に張り出した張出部３７とにより形成され、張出部３７の中央に開口３７ａを有している。  付勢部４６ｂは、弁部材３２を弁座部４６ａに当接させる方向に、側壁部３６と張出部３７との弾性力により弁部材３２を付勢し、常態では弁部材３２を弁座部４６ａに密着させている。また、インク抽出管１２が誘導路４０に侵入して弁部材３２をインク室１６側に押し上げることで、側壁部３６が伸び張出部３７が傾斜して弁部材３２と弁座部４６ａとの間にインク流路のための隙間が形成される。
【００５３】
弁部材３２は、図３に示すように底部５７と、その底部５７の外周より垂直で上方に且つ円筒状に延びる弁側壁部５６と、底部５７と弁側壁部５６とに渡って連続して形成された連通路５８とを備えている。
【００５４】
底部５７は、弁座部４６ａと対向する端面に、連通路５８より中心側でかつ開口部４１より外側となる位置に、弁座部４６ａ側に突起し環状に形成された突起部材３９を有している。弁部材３２が支持部材４６内に収納された状態で、弁側壁部５６は、付勢部４６ｂの張出部３７の下面に密着しかつ押圧され、その押圧により、突起部材３９は、弁座部４６ａを弾性変形させてその弁座部４６ａの上面に密着する。
【００５５】
外気導入側の弁装置２４は、弁装置２３と同様に、ゴム状の弾性部材で一体に製作された支持部材４６と、樹脂材料で構成された弁部材６５とを備えている。
【００５６】
支持部材４６は、弁座部４６ａと付勢部４６ｂとシール部６３とを有し、弁座部４６ａと付勢部４６ｂは、弁装置２３のそれらと同一の機能を有する。
【００５７】
弁座部４６ａのほぼ中央には、開口部４１が形成され、弁座部４６ａの下部には、この開口部４１を囲む円筒状のシール部６３が一体に形成されている。
【００５８】
弁部材６５は、図４に示すように上部に円筒部６６と下部に操作部材６７とほぼ中央部に弁部６８とを有する。弁部６８は、図３に示す弁部材３２と同様に、底部５７と、その底部５７の外周より垂直で上方に且つ円筒状に延びる弁側壁部５６と、底部５７と弁側壁部５６とに渡って連続して形成された連通路５８とを備え、各部の機能は弁部材３２の各部と同一であるので、説明を省略する。
【００５９】
円筒部６６は、底部５７から垂直に立ち上げられた円筒形であり、インクカートリッジを装着部３に正常に装着したとき、弁座部４６ａから弁部材６５が押し上げられても、円筒部材６６は上端を筒部材２５内面と間隔を置いて位置し、インク室１６と弁座部４６ａの開口部４１との連通を確保している。
【００６０】
操作部材６７は、底部５７から垂直に下方に延設された突起であり、外形６７ａは、円であって、外周に軸方向に延びる凹み６７ｂが形成されている。この操作部材６７は、支持部材４６の開口部４１を貫通して下方に延び、その下端をシール部６３の下端よりも少し上方に位置している。凹み６７ｂにより開口部４１との間の外気通路の断面積が大きく確保される。
【００６１】
図５、図６は、装着部３の詳細を示す図である。外気供給側では、装着部のベース部３ａに、弁装置２４と対向する位置に凹部３ｄが形成され、凹部３ｄは、インクカートリッジが装着されたとき、シール部６３が嵌合する大きさを有する。この凹部の３ｄの底には、シール部６３よりも内側で操作部材６７の下端と対向しない位置に外気供給口９１が、ベース部３ａを構成する壁を上下に貫通して形成されている。外気供給口９１は、操作部材６７の下端と当接する位置であっても操作部材６７の下端によって塞がれないように、操作部材６７の外径よりも小さい幅で、その外径よりも大きい長さのスリット形状に形成するか、そのスリットを複数個放射状に組み合わせたものであってもよい。
【００６２】
ベース部３ａを構成する壁の下面には、溝状の外気供給流路９２が形成され、その外気供給流路９２の一端は断面積が拡大されて外気供給口９１に接続され、他端は、ベース部３ａを構成する壁を上下に貫通して形成された外気取入口９３に接続されている。外気供給流路９２は、一部において壁の下面に沿って複数回屈曲して形成され、外気の流れを抑制し、インクカートリッジの外気導入口２６と連通したとき、インク中の成分や水分の蒸発を防止する。
【００６３】
外気取入口９３は、ベース部３ａの上面に開口しているが、装着されたインクカートリッジの底面とは間隔を確保し、外気を、外気供給流路９２、外気供給口９１を通してインクカートリッジ１へ供給する。なお、外気取入口９３の上面は、後述する多孔質弾性体３ｃで外部と通気可能に覆われていてもよい。
【００６４】
インク抽出側では、ベース部３ａを構成する壁の上面に、インク抽出管１２が一体に突出して形成され、下面には、溝状のインク供給溝９４が形成されている。インク供給溝９４の一端９４ａは、インク抽出管１２を上下方向に貫通する内部流路の下端に接続され、他端９４ｂは、ベース部３ａをガイド部３ｂよりも外に延長した部分の上面に開口し、その上面においてインク供給チューブ４と接続されている。
【００６５】
インク抽出管１２の上端には、内部流路を外周に開口させる連通口８１ａが形成され、その上端が弁部材３２と当接した状態で内部流路とインク室１６との連通が連通口８１ａによって確保される。ベース部３ａ上面のインク抽出管１２周囲には、スポンジ等の多孔質弾性体３ｃが配置され、弁装置２３から万が一漏れたインクをその多孔質弾性体によって吸収することができる。
【００６６】
装着部３は、複数のインクカートリッジに対応して複数箇所並べて設けられている。ベース部３ａ及びガイド部３ｂを構成する各壁は、インクカートリッジの配列方向に一体に延長され、各装着箇所ごとに、上記インク抽出管１２、インク供給溝９４、凹部３ｄ、外気供給口９１、外気供給流路９２などが設けられる。各インク供給チューブ４と接続される各インク供給溝９４の端部は、図５（ｂ）に示すようにベース部３ａの延長部分に並べて配置されている。
【００６７】
なお、上記インク供給溝９４、外気供給流路９２は、その溝の開放下面を蓋部材例えば樹脂製フィルム９５で覆って形成されている。フィルム９５は、インク供給溝９４及び外気供給流路９２の外周を形成するリブ９４ｃ、９２ｃの下端面に溶着により固定されている。上記各装着箇所ごとのインク供給溝９４、外気供給流路９２は、一枚のフィルム９５により共通に覆われている。
【００６８】
次に図２（ａ）と（ｂ）とを参照してインクカートリッジ１が、インクジェット記録装置２の装着部３に装着される前と後の状態について説明する。同図（ａ）は、インクカートリッジ１が、インクジェット記録装置２の装着部３に装着される前の状態を示す図であって、この状態では、インク供給側の弁部材３２も外気導入側の弁部材６５もそれぞれ支持部材４６の付勢部４６ｂの弾性力により弁座部４６ａに押し付けられていて、各弁装置は、開放されていない。
【００６９】
同図（ｂ）に示すように、インクカートリッジ１が装着された場合には、インク供給側は、インク抽出管１２の先端が、弁部材３２を押し上げ、支持部材４６の側壁部３６が伸長されて弁部材３２が弁座部４６ａから離れることにより弁装置が開放される。その結果、インク室１６、インク供給口２１、弁装置の開口３７ａ、連通路５８、弁部材３２と弁座部４６ａとの間を通ってインク抽出管１２に至るインク流路が形成され、記録ヘッド７にインクが供給される。
【００７０】
一方、外気供給側は、凹部３ｄの底に操作部材６７の先端が当接し、弁部材６５が押し上げられ、支持部材４６の側壁部３６が伸びて弁部材６５の弁部６８が弁座部４６ａが離れることにより弁装置が開放される。
【００７１】
同時に、シール部６３が凹部３ｄに密着してインクカートリッジの外気導入口２６と装着部の外気供給口９１とが外部に対して遮蔽された状態で連通される。その結果、装着部の外気取入口９３、外気供給流路９２、外気供給口９１、弁装置の開口部４１、弁部材６５と弁座部４６ａとの間、連通路５８、外気導入口２６、筒部材２５内の流路を通ってインク室１６の上部に至る外気流路が形成され、インク室１６の上部空間に外気が供給される。
【００７２】
この実施例では、弁装置２３はその誘導路４０にインク抽出管１２が嵌合してその位置が規制されるが、操作部材６７は、外気供給口９１を塞がない限り、凹部３ｄの底のどこに当接してもよい。このため、インクカートリッジ側において、インク供給口２１と外気気導入口２６、及び弁装置２３と２４の各位置関係と、装着部のインク抽出管１２と外気供給口９１との相互の位置関係とを、緩やかな寸法公差で製作することが可能になり、またユーザがインクカートリッジを装着部に装着する操作も容易になる。
【００７３】
次に図７を参照して第２の実施例について説明する。この実施例では、インク抽出側も、外気供給側も、操作部材を装着部３に形成したものである。装着部３のインク抽出部は、実施例１と同一である。外気供給部には、外気供給管１３が形成され、この外気供給管１３は、インク抽出管１２と同様に操作部材としての機能を有する。この外気供給管１３は、中空筒体であって、その内部を貫通して外気供給口９１を備え、連通口８１ａが複数、弁部材６５との当接面を含んで欠切されているので外気がこの連通口８１ａを介して供給される。外気供給管１３内の外気供給口９１の下端は、前記実施例と同様に外気供給流路９２に接続している。
【００７４】
インクカートリッジ１の連通室５０に備えられた弁装置２４の支持部材４６は、弁装置２３の支持部材４６と同一で、弁部材６５は、底部５７に操作部材６７がなく、底部５７の上部に筒部６６が形成されている。
【００７５】
この実施例の場合は、外気供給側も、インク抽出側と同様に、インクカートリッジ１が装着されると、外気供給管１３の端面が弁部材６５を押し上げ、弁装置を開放する。このとき、弁装置の外周壁３３は、その内部の誘導路４０を外気供給管１３の外周に密着させ、シール部としての機能を果たし、外気供給管１３と外気導入口２６との間の連通を確実にする。
【００７６】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００７７】
例えば、各実施例では、インク供給口２１及び外気導入口２６を封止する手段として弁装置を用いたが、両口をゴムで封止し、装着部から突出した針状のインク供給管及び大気供給管を突き刺すようにしてもよい。
【図面の簡単な説明】
【００７８】
【図１】本発明のインクカートリッジと、そのインクカートリッジを装着するインクジェット記録装置とを示した概略図である。
【図２】インクカートリッジとインクジェット記録装置の装着部の断面図であり、（ａ）は、装着前、（ｂ）は、装着後を示す。
【図３】弁部材３２の詳細を示すもので、（ａ）は、平面図、（ｂ）は、側面図、（ｃ）は、（ａ）のＢ−Ｂ線断面図、（ｄ）は、（ａ）のＣ−Ｃ線断面図、（ｅ）は、底面図である。
【図４】弁部材６５の詳細を示すもので、（ａ）は、平面図、（ｂ）は、側面図、（ｃ）は、底面図である。
【図５】装着部の詳細を示すもので、（ａ）は、（ｂ）のＤ−Ｄ線断面図（ｂ）は、底面図である。
【図６】装着部の詳細を示すもので、（ｃ）は、図5（ｂ）のＥ−Ｅ線断面図、（ｄ）は、Ｆ−Ｆ線断面図である。
【図７】第２の実施例を示すインクカートリッジとインクジェット記録装置の装着部の断面図であり、（ａ）は、装着前、（ｂ）は装着後を示す。
【符号の説明】
【００７９】
１              インクカートリッジ
２              インクジェット記録装置
３              装着部
１２            インク抽出管
１３            外気供給管（中空筒体）
１６            インク室
２１            インク供給口
２３、２４      弁装置
２６            外気導入口
３２、６５      弁部材
５８            連通路
４０            誘導路
４６            支持部材
４６ａ          弁座部
４６ｂ          付勢部
６３            シール部材
６７            操作部材
９１            外気供給口
９２            外気供給流路
９３            外気取入口
９４            インク供給溝
９５            溶着フィルム（蓋部材）
【図１】
2005246780.tif 000003
【図２】
2005246780.tif 000004
【図３】
2005246780.tif 000005
【図４】
2005246780.tif 000006
【図５】
2005246780.tif 000007
【図６】
2005246780.tif 000008
【図７】
2005246780.tif 000009